【手続補正書】
【提出日】平成19年8月13日(2007.8.13)
【手続補正１】
【補正対象書類名】特許請求の範囲
【補正対象項目名】全文
【補正方法】変更
【補正の内容】
【特許請求の範囲】
【請求項１】
先端面及び筒状側面部分を有する本体であって、該筒状側面部分が前記先端面の下側で前記本体の中心軸に対して略垂直に延びる第１の肩部を含み、前記筒状側面部分の少なくとも一部分は前記第１の肩部の上側に配置されている本体と、
前記第１の肩部の先端面にて前記本体に取り付けられ、前記本体より硬い第１のリングであって、前記本体の前記先端面の下側に配置されている第１のリングと、を備え、
前記本体の前記先端面と前記第１のリングの先端との間の距離を前記本体の前記先端面と前記本体の底面との間の距離で割った値が、０．１５〜０．５であり、
前記本体は、前記第１の肩部の下に第２の肩部を含み、該第２の肩部の直径より該第２の肩部の上側部分の直径が大きくないものであり、
前記第２の肩部の先端面で前記本体に取り付けられている第２のリングを備え、
前記本体の前記先端面と前記第２のリングの先端との間の距離を前記本体の前記先端面と前記本体の底面との間の距離で割った値が、０．１５〜０．５である切削ビット。
【請求項２】
先端面及び筒状側面部分を有する本体であって、該筒状側面部分が前記先端面の下側で前記本体の中心軸に対して略垂直に延びる肩部を含み、前記筒状側面部分の少なくとも一部分は前記肩部の上側に配置されている本体と、
前記肩部の先端面にて前記本体に取り付けられ、前記本体より硬いリングであって、前記本体の前記先端面の下側に配置されているリングと、
前記本体の前記先端面に取り付けられている切削チップと、を備え、
前記本体の前記先端面と前記第１のリングの先端との間の距離を前記本体の前記先端面と前記本体の底面との間の距離で割った値が、０．１５〜０．５であり、
前記切削チップの底の直径を該切削チップの該底の位置における前記本体の直径で割った値が、０．７２〜０．９５である切削ビット。
【請求項３】
前記本体の前記底面の下側に配置され、前記中心軸の方向で前記本体の前記底面から延びる細長い部分を含み、該細長い部分がホルダに前記切削ビットを取り付けるための保持スリーブを受容するために適用されている請求項２記載の切削ビット。
【請求項４】
前記切削チップの底の直径を前記リングの外径で割った値が０．６０〜０．８０である請求項３記載の切削ビット。
【請求項５】
前記切削チップは前記本体より硬く、前記肩部の上側の前記本体の直径が前記肩部の直径より大きくなく、前記リングがろう付けによって前記肩部の前記先端面に取り付けられている請求項３又は４記載の切削ビット。
【請求項６】
前記切削チップは、基部と、先端部と、前記基部と前記先端部との間に延びる略凹形状の側部と、を備え、前記先端部は略凸形状であり、前記側部は略凹形状である請求項５記載の切削ビット。
【請求項７】
平坦状先端面及び筒状側面部分を有する本体であって、該筒状側面部分が前記先端面の下側で前記本体の中心軸に対して略垂直に延びる第１の肩部を含み、前記筒状側面部分の少なくとも一部分は前記第１の肩部の上側に配置されている本体と、
前記先端面に取り付けられている切削チップと、
前記第１の肩部の先端面にて前記本体に取り付けられ、前記本体より硬い第１のリングであって、前記本体の前記先端面の下側に配置されている第１のリングと、を備え、
前記切削チップの底の直径を該切削チップの該底の位置における前記本体の直径で割った値が、０．７２〜０．９５である切削ビット。
【請求項８】
前記本体は、前記第１の肩部の下側で第２の肩部を含み、該第２の肩部の直径より前記第２の肩部の上側部分の直径が大きくないものであり、前記第２の肩部の先端面で前記本体に取り付けられている第２のリングを備えた請求項７記載の切削ビット。
【請求項９】
前記切削チップの底の直径を前記第１のリングの外径で割った値が０．６０〜０．８０である請求項７記載の切削ビット。
【請求項１０】
平坦状先端面及び筒状側面部分を有する本体であって、該筒状側面部分が前記先端面の下側で前記本体の中心軸に対して略垂直に延びる第１の肩部を含み、前記筒状側面部分の少なくとも一部分は前記第１の肩部の上側に配置されている本体と、
前記先端面に取り付けられている切削チップと、
前記第１の肩部の先端面にて前記本体に取り付けられ、前記本体より硬い第１のリングであって、前記本体の前記先端面の下側に配置されている第１のリングと、を備え、
前記第１のリングはろう付けによって前記第１の肩部の前記先端面に取り付けられ、
前記切削チップの底の直径を前記第１のリングの外径で割った値が０．６０〜０．８０であり、
前記本体は、前記第１の肩部の下側に第２の肩部を含み、該第２の肩部の直径より該第２の肩部の上側部分の直径が大きくないものであり、該第２の肩部の先端面で前記本体に取り付けられている第２のリングを備えた切削ビット。
【請求項１１】
先端面及び側面を有する本体であって、該側面が前記先端面の下側で前記本体の中心軸に対して略垂直に延びる第１の肩部を含み、前記本体は、前記第１の肩部の直径より該第１の肩部の上側部分の直径が大きくないものであり、前記第１の肩部の下側に第２の肩部を含み、前記本体は、該第２の肩部の直径より該第２の肩部の上側部分の直径が大きくないものである本体と、
前記第１の肩部と前記第２の肩部のそれぞれの先端面で前記本体に取り付けられている第１のリング及び第２のリングであって、前記本体の前記先端面の下側に配置されている第１のリング及び第２のリングと、を備え、
前記第１の肩部の上側に配置されている前記側面の少なくとも一部分が筒状であり、前記第２の肩部の上側に配置されている前記側面の少なくとも一部分が筒状である切削ビット。
【請求項１２】
前記本体の前記先端面と前記第１のリングの先端との間の距離を前記本体の前記先端面と前記本体の底面との間の距離で割った値が、０．１５〜０．５である請求項１１記載の切削ビット。
【請求項１３】
前記本体の前記先端面に取り付けられている切削チップをさらに備えた請求項１１記載の切削ビット。
【請求項１４】
前記切削チップの底の直径を該切削チップの該底の位置における前記本体の直径で割った値が、０．７２〜０．９５である請求項１１記載の切削ビット。
【請求項１５】
前記切削チップの底の直径と前記第１のリングの外径との比が、０．６０〜０．８０である請求項１１記載の切削ビット。
【請求項１６】
前記第１のリングと前記第２のリングとが前記本体より硬い請求項１１記載の切削ビット。
【請求項１７】
基部と、略凸形状である先端部と、前記基部と前記先端部との間で延びる側部であって、略凹形状で、かつ、交差点で前記先端部と交差する側部と、を有する切削チップと、
該切削チップが取り付けられている先端面と、底面と、前記先端面の下側に位置し、中心軸に対して略垂直に延びる肩部と、を有する本体と、
前記肩部の先端面にて前記本体に取り付けられ、前記本体より硬いリングであって、前記本体の前記先端面の下側に配置されているリングと、を備え、
前記肩部の上側に配置された側面の一部分が筒状であり、
前記交差点と前記本体の中心軸上の一点とを結んでなる円錐頂角が９０度に規定され、
前記リングが円錐頂角を前記９０度とする円錐の円錐側面の内側に配置されている切削ビット。
【請求項１８】
前記先端部と前記基部との間の前記切削ビットの全ての部分が、前記円錐側面で規定された仮想円錐部の略内側に配置されている請求項１７記載の切削ビット。